(57)【要約】【課題】  ＨＤＭＩ規格に対応したテレビ装置が光ディスクから再生された映像データのネイティブフォーマットに対応している場合、映像データの映像フォーマットを変換せずに、映像データをネイティブフォーマットでテレビ装置に出力することができるようにする。【解決手段】  ディスク再生装置に接続されたＨＤＭＩ規格に対応したテレビ装置から送信されたＥＤＩＤを取得して、取得されたＥＤＩＤの映像解像度情報にネイティブフォーマットが存在するか否かを判別し、取得されたＥＤＩＤの映像解像度情報にネイティブフォーマットが存在すると判別された場合、映像フォーマットのネイティブフォーマットを選択して、光ディスクから再生された映像データをネイティブフォーマットでディスク再生装置に接続されたテレビ装置に出力するようにする。【選択図】        図１
2007180746.tif 000002
【特許請求の範囲】
【請求項１】
ＨＤＭＩ規格に対応したテレビ装置に映像音声データを再生して出力するディスク再生装置であって、
ディスク再生装置に接続されたＨＤＭＩ規格に対応したテレビ装置から送信されたＥＤＩＤを取得する取得手段と、前記取得手段により取得されたＥＤＩＤの映像解像度情報にネイティブフォーマットが存在するか否かを判別する判別手段と、前記判別手段によりＥＤＩＤの映像解像度情報にネイティブフォーマットが存在すると判別された場合、映像フォーマットのネイティブフォーマットを選択して、光ディスクから再生された映像データをネイティブフォーマットで、ディスク再生装置に接続されたテレビ装置に出力する出力手段と、前記判別手段によりＥＤＩＤの映像解像度情報にネイティブフォーマットが存在しないと判別された場合、ディスク再生装置に接続されたテレビ装置が光ディスクから再生された映像データのネイティブフォーマットに対応していないことをテレビ装置の画面に表示する表示手段とを備えたことを特徴とするディスク再生装置。
【請求項２】
ＨＤＭＩ規格に対応したテレビ装置に映像音声データを再生して出力するディスク再生装置であって、
ディスク再生装置に接続されたＨＤＭＩ規格に対応したテレビ装置から送信されたＥＤＩＤを取得する取得手段と、前記取得手段により取得されたＥＤＩＤの映像解像度情報にネイティブフォーマットが存在するか否かを判別する判別手段と、前記判別手段によりＥＤＩＤの映像解像度情報にネイティブフォーマットが存在すると判別された場合、映像フォーマットのネイティブフォーマットを選択して、光ディスクから再生された映像データをネイティブフォーマットで、ディスク再生装置に接続されたテレビ装置に出力する出力手段とを備えたことを特徴とするディスク再生装置。
【請求項３】
前記判別手段によりＥＤＩＤの映像解像度情報にネイティブフォーマットが存在しないと判別された場合、ディスク再生装置に接続されたテレビ装置が光ディスクから再生された映像データのネイティブフォーマットに対応していないことをテレビ装置の画面に表示する表示手段を更に備えたことを特徴とする請求項２記載のディスク再生装置。
【請求項４】
ＨＤＭＩ規格に対応したテレビ装置に映像音声データを再生して出力するディスク再生装置の映像データ出力方法であって、
ディスク再生装置に接続されたＨＤＭＩ規格に対応したテレビ装置から送信されたＥＤＩＤを取得するステップと、取得されたＥＤＩＤの映像解像度情報にネイティブフォーマットが存在するか否かを判断するステップと、取得されたＥＤＩＤの映像解像度情報にネイティブフォーマットが存在すると判断された場合、映像フォーマットのネイティブフォーマットを選択して、光ディスクから再生された映像データをネイティブフォーマットで、ディスク再生装置に接続されたテレビ装置に出力するステップと、取得されたＥＤＩＤの映像解像度情報にネイティブフォーマットが存在しないと判断された場合、ディスク再生装置に接続されたテレビ装置が光ディスクから再生された映像データのネイティブフォーマットに対応していないことをテレビ装置の画面に表示するステップとを備えたことを特徴とするディスク再生装置の映像データ出力方法。
【発明の詳細な説明】
【技術分野】
【０００１】
本発明は、光ディスクに記録された映像音声データを再生するディスク再生装置及びその映像データ出力方法に係り、特にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格に対応したテレビ装置がネイティブフォーマット（Ｎａｔｉｖｅ  Ｆｏｒｍａｔ）に対応している場合、映像データをネイティブフォーマットで出力するディスク再生装置及びその映像データ出力方法に関する。
【背景技術】
【０００２】
最近、テレビ放送の地上デジタル放送の普及に伴って、デジタル信号の高画質の映像データを表示することができるテレビ装置が普及してきている。デジタル信号の高画質の映像データを表示することができるテレビ装置は、複数の映像フォーマット、例えば、４８０ｐ、４８０ｉ、７２０ｐ、１０８０ｉ等の中の１つの映像フォーマットを選択して、その選択された映像フォーマットで映像データを画面に表示することができるようになっている。また、ＨＤＭＩ規格に対応したＨＤＭＩ端子を有するテレビ装置も普及してきている。ＨＤＭＩ規格では、ＨＤＭＩ接続ケーブルを介してデジタルの映像音声データとテレビ装置の映像表示情報とを送受信することができるようになっている。ＨＤＭＩ規格に対応したテレビ装置をＨＤＭＩ接続ケーブルによりディスク再生装置のＨＤＭＩ端子に接続して、ＤＶＤ（Ｄｉｇｉｔａｌ  Ｖｅｒｓａｔｉｌｅ  Ｄｉｓｃ）等の光ディスクに記録された映像音声データを再生してテレビ装置に出力する場合、テレビ装置から送信されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）を取得し、取得されたＥＤＩＤの映像表示情報からテレビ装置の表示可能なアスペクト比、映像フォーマットの１つを選択して、映像データを選択された映像フォーマットに変換してテレビ装置に出力することができるようになっている。そのため、ディスク再生装置にテレビ装置を接続した場合、接続されたテレビ装置の対応可能な映像フォーマットに応じて、ディスク再生装置からテレビ装置に出力する映像データの映像フォーマットを選択しなければならないという問題点があった。
背景技術としては、ＨＤＭＩ規格に対応したモニタ装置の表示条件の情報を取得して、取得した表示条件の情報に基づいて映像データを変換し、変換された映像データをモニタ装置に出力するようにしたものがあった（例えば、特許文献１参照）。
また、映像表示装置の表示可能な映像フォーマット情報を検出して、変換可能な映像フォーマット情報と比較し、選択可能な映像フォーマットを画面に表示して、映像フォーマットを選択するようにしたものがあった（例えば、特許文献２参照）。
【特許文献１】特開２００５−１０９７０３号公報
【特許文献２】特開２００５−１６７８９５号公報
【発明の開示】
【発明が解決しようとする課題】
【０００３】
しかしながら、背景技術で述べたもののうち前者においては、ＨＤＭＩ規格に対応したモニタ装置の表示条件の情報を取得して、取得した表示条件の情報に基づいて映像データを変換し、変換された映像データをモニタ装置に出力することができたが、モニタ装置が複数の映像フォーマットに対応している場合に、他の映像フォーマットが選択された場合、映像データが選択された映像フォーマットに変換されて出力されるというという問題点があった。
また、後者においては、映像表示装置の表示可能な映像フォーマット情報を検出して、変換可能な映像フォーマット情報と比較し、選択可能な映像フォーマットを画面に表示して、映像フォーマットを選択することができたが、映像データを映像表示装置に出力する際に、ユーザが映像表示装置の表示可能な映像フォーマットを選択しなければならないという問題点があった。
本発明は、背景技術の有するこのような問題点に鑑みてなされたものであり、その目的とするところは、ＨＤＭＩ規格に対応したテレビ装置が光ディスクから再生された映像データのネイティブフォーマットに対応している場合、映像データの映像フォーマットを変換せずに、映像データをネイティブフォーマットでテレビ装置に出力することができるディスク再生装置及びその映像データ出力方法を提供しようとするものである。
【課題を解決するための手段】
【０００４】
上記目的を達成するため本発明においては、ＨＤＭＩ規格に対応したテレビ装置に映像音声データを再生して出力するディスク再生装置であって、ディスク再生装置に接続されたＨＤＭＩ規格に対応したテレビ装置から送信されたＥＤＩＤを取得する取得手段と、前記取得手段により取得されたＥＤＩＤの映像解像度情報にネイティブフォーマットが存在するか否かを判別する判別手段と、前記判別手段によりＥＤＩＤの映像解像度情報にネイティブフォーマットが存在すると判別された場合、映像フォーマットのネイティブフォーマットを選択して、光ディスクから再生された映像データをネイティブフォーマットで、ディスク再生装置に接続されたテレビ装置に出力する出力手段とを備える。
更に、前記判別手段によりＥＤＩＤの映像解像度情報にネイティブフォーマットが存在しないと判別された場合、ディスク再生装置に接続されたテレビ装置が光ディスクから再生された映像データのネイティブフォーマットに対応していないことをテレビ装置の画面に表示する表示手段を備える。
これらの手段により、ＨＤＭＩ規格に対応したテレビ装置が光ディスクから再生された映像データのネイティブフォーマットに対応している場合、映像データの映像フォーマットを変換せずに、映像データをネイティブフォーマットでテレビ装置に出力することができる。
【発明の効果】
【０００５】
請求項１記載の発明に係るディスク再生装置によれば、ディスク再生装置に接続されたＨＤＭＩ規格に対応したテレビ装置から送信されたＥＤＩＤを取得して、取得されたＥＤＩＤの映像解像度情報にネイティブフォーマットが存在するか否かを判別し、取得されたＥＤＩＤの映像解像度情報にネイティブフォーマットが存在すると判別された場合、映像フォーマットのネイティブフォーマットを選択して、光ディスクから再生された映像データをネイティブフォーマットで、ディスク再生装置に接続されたテレビ装置に出力し、取得されたＥＤＩＤの映像解像度情報にネイティブフォーマットが存在しないと判別された場合、ディスク再生装置に接続されたテレビ装置が光ディスクから再生された映像データのネイティブフォーマットに対応していないことをテレビ装置の画面に表示するようにしているので、ディスク再生装置に接続されたＨＤＭＩ規格に対応したテレビ装置が光ディスクから再生された映像データのネイティブフォーマットに対応している場合、映像データの映像フォーマットを変換せずに、映像データをネイティブフォーマットでテレビ装置に出力することができ、また、ディスク再生装置に接続されたＨＤＭＩ規格に対応したテレビ装置が光ディスクから再生された映像データのネイティブフォーマットに対応していない場合、テレビ装置が光ディスクから再生された映像データの映像フォーマットのネイティブフォーマットに対応していないことをユーザに報知することができる。
請求項２記載の発明に係るディスク再生装置によれば、ディスク再生装置に接続されたＨＤＭＩ規格に対応したテレビ装置から送信されたＥＤＩＤを取得して、取得されたＥＤＩＤの映像解像度情報にネイティブフォーマットが存在するか否かを判別し、取得されたＥＤＩＤの映像解像度情報にネイティブフォーマットが存在すると判別された場合、映像フォーマットのネイティブフォーマットを選択して、光ディスクから再生された映像データをネイティブフォーマットで、ディスク再生装置に接続されたテレビ装置に出力するようにしているので、ディスク再生装置に接続されたＨＤＭＩ規格に対応したテレビ装置が光ディスクから再生された映像データのネイティブフォーマットに対応している場合、映像データの映像フォーマットを変換せずに、映像データをネイティブフォーマットでテレビ装置に出力することができる。
請求項３記載の発明に係るディスク再生装置によれば、取得されたＥＤＩＤの映像解像度情報にネイティブフォーマットが存在しないと判別された場合、ディスク再生装置に接続されたテレビ装置が光ディスクから再生された映像データのネイティブフォーマットに対応していないことをテレビ装置の画面に表示するようにしているので、ディスク再生装置に接続されたＨＤＭＩ規格に対応したテレビ装置が光ディスクから再生された映像データのネイティブフォーマットに対応していない場合、ディスク再生装置に接続されたテレビ装置が光ディスクから再生された映像データの映像フォーマットのネイティブフォーマットに対応していないことをユーザに報知することができる。
請求項４記載の発明に係るディスク再生装置の映像データ出力方法によれば、ディスク再生装置に接続されたＨＤＭＩ規格に対応したテレビ装置から送信されたＥＤＩＤを取得して、取得されたＥＤＩＤの映像解像度情報にネイティブフォーマットが存在するか否かを判断し、取得されたＥＤＩＤの映像解像度情報にネイティブフォーマットが存在すると判断された場合、映像フォーマットのネイティブフォーマットを選択して、光ディスクから再生された映像データをネイティブフォーマットで、ディスク再生装置に接続されたテレビ装置に出力し、取得されたＥＤＩＤの映像解像度情報にネイティブフォーマットが存在しないと判断された場合、ディスク再生装置に接続されたテレビ装置が光ディスクから再生された映像データのネイティブフォーマットに対応していないことをテレビ装置の画面に表示するようにしているので、ディスク再生装置に接続されたＨＤＭＩ規格に対応したテレビ装置が光ディスクから再生された映像データのネイティブフォーマットに対応している場合、映像データの映像フォーマットを変換せずに、映像データをネイティブフォーマットでテレビ装置に出力することができ、また、ディスク再生装置に接続されたＨＤＭＩ規格に対応したテレビ装置が光ディスクから再生された映像データのネイティブフォーマットに対応していない場合、テレビ装置が光ディスクから再生された映像データの映像フォーマットのネイティブフォーマットに対応していないことをユーザに報知することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２はＥＤＩＤデータのフォーマットを示す説明図であり、図３は本発明の一実施例のディスク再生装置の動作を示すフローチャートである。
まず、図１の本発明の一実施例のディスク再生装置の構成を示すブロック図を基に説明する。
ディスク再生装置１は、光ディスク２にレーザ光を照射してその反射光を検出し、光ディスク２に記録されている映像音声データを読み出す光ピックアップ３と、光ディスク２を回転させるスピンドルモータ４と、光ピックアップ３を光ディスク２の半径方向にスレッド移動させるスレッドモータ５と、スピンドルモータ４の回転速度とスレッドモータ５の回転方向、回転速度とをサーボ制御し、光ピックアップ３により検出されたトラッキング誤差信号、フォーカス誤差信号に基づいて光ピックアップ３のトラッキング、フォーカスをサーボ制御するサーボ回路６と、光ピックアップ３により読み出された映像音声データのＲＦ（Ｒａｄｉｏ  Ｆｒｅｑｕｅｎｃｙ）信号を増幅するＲＦ増幅回路７と、ＲＦ増幅回路７により増幅された映像音声データのＲＦ信号を基準クロックに基づいて同期検出して復調し、復調された映像音声データの誤りを訂正して、所定の圧縮方式に基づいて圧縮された映像音声データを伸張し、伸張された映像音声データを復号して映像音声データを再生する信号処理回路８と、文字データを映像データに重畳して文字データをテレビ装置３０の画面に表示するＯＳＤ（Ｏｎ−Ｓｃｒｅｅｎ  Ｃｈａｒａｃｔｅｒ  Ｄｉｓｐｌａｙ）回路９と、映像データの映像フォーマットを変換する映像解像度変換回路１０と、ＨＤＭＩ規格に対応したテレビ装置３０から送出された信号を受信するとともに、映像音声データをＨＤＭＩ規格に対応したテレビ装置３０に出力する入出力回路１１と、ディスク再生装置１のシステム全体を制御するマイコン１２と、リモコン装置２０から送信された赤外線信号のリモコン信号を受信して、所定の電気信号に変換するリモコン受信部１３とで構成されている。また、ディスク再生装置１とテレビ装置３０とは、それぞれのＨＤＭＩ端子（図示せず）をＨＤＭＩ接続ケーブル３１で接続するようになっている。
以上のように構成されたディスク再生装置について、以下その動作について説明する。
ディスク再生装置１のＨＤＭＩ端子（図示せず）にＨＤＭＩ規格に対応したテレビ装置３０がＨＤＭＩ接続ケーブル３１により接続されると、マイコン１２は、ディスク再生装置１に接続されたテレビ装置３０から送信されたＥＤＩＤを取得して、取得されたＥＤＩＤのＣＥＡ  Ｄａｔａ  Ｂｌｏｃｋ  ＣｏｌｌｅｃｔｉｏｎのＣＥＡ  Ｓｈｏｒｔ  Ｖｉｄｅｏ  Ｄｅｓｃｒｉｂｔｏｒの映像解像度情報にネイティブフォーマットが存在しているか否かを判別する。テレビ装置３０の映像データ解像度がネイティブフォーマットに対応している場合、ＥＤＩＤのＣＥＡ  Ｄａｔａ  Ｂｌｏｃｋ  Ｃｏｌｌｅｃｔｉｏｎの第２バイトのＣＥＡ  Ｓｈｏｒｔ  Ｖｉｄｅｏ  Ｄｅｓｃｒｉｐｔｏｒの第７ビットにネイティブフォーマット対応の情報が含まれている（図２参照）。
テレビ装置３０から取得されたＥＤＩＤの映像解像度情報のＣＥＡ  Ｓｈｏｒｔ  Ｖｉｄｅｏ  Ｄｅｓｃｒｉｐｔｏｒにネイティブフォーマットが存在している場合、マイコン１２は、サーボ回路６に制御信号を送出して、スピンドルモータ４を駆動して光ディスク２を回転させ、スレッドモータ５を駆動して光ピックアップ３を光ディスク２の半径方向に移動させ、光ピックアップのトラッキングとフォーカスとを制御して、光ピックアップ３により光ディスク２に記録された映像音声データを読み出して再生し、映像解像度変換回路１０に制御信号を送出して、映像解像度変換回路１０の映像フォーマットのネイティブフォーマットを選択し、光ディスク２から再生された映像データの解像度を変換せずに、光ディスク２から再生された映像音声データをネイティブフォーマットでディスク再生装置１に接続されたテレビ装置３０に出力する。
また、テレビ装置３０から送信されたＥＤＩＤの映像解像度情報にネイティブフォーマットが存在していない場合、マイコン１２は、文字データと制御信号とをＯＳＤ回路９に送出して、ディスク再生装置１に接続されたテレビ装置３０が光ディスク２から再生された映像データの映像フォーマットのネイティブフォーマットに対応していないことをテレビ装置３０の画面に表示してユーザにその旨を報知する（図示せず）。
また、図３の本発明の一実施例のディスク再生装置の動作を示すフローチャートを基に説明する。
ディスク再生装置にＨＤＭＩ規格に対応したテレビ装置がＨＤＭＩ接続ケーブルにより接続されると、ステップＳ１からステップＳ２に進み、ステップＳ２で、ディスク再生装置に接続されたＨＤＭＩ規格に対応したテレビ装置から送信されたＥＤＩＤが取得されて、取得されたＥＤＩＤの映像解像度情報にネイティブフォーマットが存在しているか否かが判断され、取得されたＥＤＩＤの映像解像度情報にネイティブフォーマットが存在している場合、ステップＳ３に進み、取得されたＥＤＩＤの映像解像度情報にネイティブフォーマットが存在していない場合、ステップＳ４に進む。
ステップＳ３で、映像フォーマットのネイティブフォーマットが選択されて、光ディスクから再生された映像データの解像度が変換されずに、映像データがネイティブフォーマットで、ディスク再生装置に接続されたテレビ装置に出力され、ステップＳ５に進んで処理を終了する。
ステップＳ４で、ディスク再生装置に接続されたテレビ装置が光ディスクから再生された映像データのネイティブフォーマットに対応していないことがテレビ装置の画面に表示されて、ステップＳ５に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク再生装置の構成を示すブロック図である。
【図２】ＥＤＩＤデータのフォーマットを示す説明図である。
【図３】本発明の一実施例のディスク再生装置の動作を示すフローチャートである。
【符号の説明】
【０００８】
１  ディスク再生装置
２  光ディスク
３  光ピックアップ
４  スピンドルモータ
５  スレッドモータ
６  サーボ回路
７  ＲＦ増幅回路
８  信号処理回路
９  ＯＳＤ回路
１０  映像解像度変換回路
１１  入出力回路
１２  マイコン
１３  リモコン受信部
２０  リモコン装置
３０  テレビ装置
３１  ＨＤＭＩ接続ケーブル
【図１】
2007180746.tif 000003
【図２】
2007180746.tif 000004
【図３】
2007180746.tif 000005